(57)【要約】【課題】移動しながら剪定対象を迅速に剪定することにより固定規制を伴う人力又は機械による作業を不要とし、移動規制による路側樹木の剪定管理を可能とする剪定方法及びその方法に使用する剪定装置を提供する。【解決手段】本発明にかかる剪定方法は、回転軸体(2)の軸線(X)上で間隔を保ってかつ半径方向へ突き出ている複数の可撓性線材(3)を備えたカッター(4)を使用し、剪定面(5)と該軸線を平行にして該回転軸体を回転させ、該剪定面から突出した剪定対象物(6)を該可撓性線材の自由端(3a)で叩きその衝撃力で該剪定対象物(6)を切断する。本発明にかかる剪定装置(1)は、回転軸体(2)及び該回転軸体の軸線(X)上で間隔を保ってかつ半径方向へ突き出ている複数の可撓性線材(3)を備えたカッター(4)と、該カッターの駆動手段(25)と、移動手段(7)を有する。該カッターと該駆動手段は移動手段(7)に着脱自在となっている。【選択図】図１
2005218358.tif 000002
【特許請求の範囲】
【請求項１】
回転軸体(2)の軸線(X)上で間隔を保ってかつ半径方向へ突き出ている複数の可撓性線材(3)を備えたカッター(4)を使用し、剪定面(5)と該軸線(X)を平行にして該回転軸体(2)を回転させ、該剪定面(5)から突出した剪定対象物(6)を該可撓性線材(3)の自由端(3a)で叩きその衝撃力で該剪定対象物(6)を切断することを特徴とする剪定方法。
【請求項２】
該回転は、該自由端(3a)を所定の周速度で移動させるものである請求項１に記載の剪定方法。
【請求項３】
該複数の可撓性線材(3)は、該回転軸体(2)の周方向に沿って中心角を保って放射状に突き出ている請求項１又は２に記載の剪定方法。
【請求項４】
該複数の可撓性線材(3)は、該回転軸体(2)から半径方向へ同じ長さ突き出ている請求項１〜３のいずれか一つの項に記載の剪定方法。
【請求項５】
回転軸体(2)と、該回転軸体(2)の軸線(X)上で間隔を保ってかつ半径方向へ突き出ている複数の可撓性線材(3)を備えることを特徴とするカッター(4)。
【請求項６】
該複数の可撓性線材(3)は、該回転軸体(2)の周方向に沿って中心角を保って放射状に突き出ている請求項５に記載のカッター(4)。
【請求項７】
該複数の可撓性線材(3)は、該回転軸体(2)から半径方向へ同じ長さ突き出ている請求項５又は６に記載のカッター(4)。
【請求項８】
回転軸体(2)及び該回転軸体(2)の軸線(X)上で間隔を保ってかつ半径方向へ突き出ている複数の可撓性線材(3)を備えたカッター(4)と、該カッター(4)の駆動手段(25)と、移動手段(7)を有し、該カッター(4)と該駆動手段(25)は移動手段(7)に着脱自在となっていることを特徴とする剪定装置(1)。
【請求項９】
該複数の可撓性線材(3)は、該回転軸体(2)の周方向に沿って中心角を保って放射状に突き出ている請求項８に記載の剪定装置(1)。
【請求項１０】
該複数の可撓性線材(3)は、該回転軸体(2)から半径方向へ同じ長さ突き出ている請求項８又は９に記載の剪定装置(1)。
【発明の詳細な説明】
【技術分野】
【０００１】
本発明は、路側に生育する樹木等の植物を剪定する方法及びその方法に使用する剪定装置に関するものである。
【背景技術】
【０００２】
従来、高速道路における路側樹木の剪定は、人力或いは、本出願人が考案した特公昭６０−１０号公報に開示された特殊な剪定装置により実施されていた。
【０００３】
一方、路側樹木の剪定を目的とするものではないが、雑草を刈り取るための剪定方法の改良が進められており、最近では、特開平１１−２３５１１３号公報に開示されているナイロンコード式回転刃のような、新しい剪定技術も考案されている。
【特許文献１】特公昭６０−１０号公報
【特許文献２】特開平１１−２３５１１３号公報
【発明の開示】
【発明が解決しようとする課題】
【０００４】
しかしながら、従来の路側樹木の剪定作業は、人力による場合はいうまでもなく、特公昭６０−１０号公報の剪定装置によっても、時間がかかるものとなっていた。また、剪定作業中は本線交通の安全を確保するため何らかの通行規制を行う必要性があるが、従来の路側樹木の剪定作業は剪定対象のある場所に止まって行わなければならなかったため、交通への影響が軽微な移動規制では足りず、固定規制を行わなければならなかった。そのため、管理費が高くなるという問題があった。更に、従来の剪定装置は、高速道路に特化した特殊なもので汎用性がなく、装置自体の維持管理費等も管理費を高くする要因となっていた。
【０００５】
一方、路側樹木の剪定に際しては、ガードレールやその付属品を避けながら作業を進めなければならず、汎用の剪定装置を適用することは困難であった。例えば、特開平１１−２３５１１３号公報のナイロンコード式回転刃の場合、ナイロンコードがガードレールの付属品にぶつかったりからんだりするため、路側樹木の剪定に適用することはできなかった。
【０００６】
そこで、本発明は、移動しながら剪定対象を迅速に剪定することにより固定規制を伴う人力又は機械による作業を不要とし、移動規制による路側樹木の剪定管理を可能とする剪定方法及びその方法に使用する剪定装置を提供することを目的とする。
【課題を解決するための手段】
【０００７】
本発明にかかる剪定方法は、回転軸体の軸線上で間隔を保ってかつ半径方向へ突き出ている複数の可撓性線材を備えたカッターを使用し、剪定面と該軸線を平行にして該回転軸体を回転させ、該剪定面から突出した剪定対象物を該可撓性線材の自由端で叩きその衝撃力で該剪定対象物を切断することを特徴とする。なお、本発明において剪定面とは、路側植物の道路本線に向いた面を、繁茂して道路本線へ突出しても走行車輌の運転者の視界の妨げとならない限界面（例えば、ガードレールから道路本線と反対側に所定距離離れた位置において、道路本線の進行方向に沿って連続する路面と直交した面）で切断して形成される面を指すものとする。
【０００８】
該回転は、該自由端を所定の周速度で移動させるものであってもよい。
【０００９】
該複数の可撓性線材は、該回転軸体の周方向に沿って中心角を保って放射状に突き出ていてもよい。
【００１０】
該複数の可撓性線材は、該回転軸体から半径方向へ同じ長さ突き出ていてもよい。
【００１１】
本発明にかかるカッターは、回転軸体と、該回転軸体の軸線上で間隔を保ってかつ半径方向へ突き出ている複数の可撓性線材を備えることを特徴とする。
【００１２】
該カッターにおいて、該複数の可撓性線材は、該回転軸体の周方向に沿って中心角を保って放射状に突き出ていてもよい。
【００１３】
該カッターにおいて、該複数の可撓性線材は、該回転軸体から半径方向へ同じ長さ突き出ていてもよい。
【００１４】
本発明にかかる剪定装置は、本発明にかかるカッターと、該カッターの駆動手段と、移動手段とを有し、該カッターと該駆動手段は移動手段に着脱自在となっていることを特徴とする。
【００１５】
該剪定装置において、該複数の可撓性線材は、該回転軸体の周方向に沿って中心角を保って放射状に突き出ていてもよい。
【００１６】
該剪定装置において、該複数の可撓性線材は、該回転軸体から半径方向へ同じ長さ突き出ていてもよい。
【発明の効果】
【００１７】
本発明にかかる剪定方法によれば、剪定対象物の切断に可撓性線材の自由端を利用しているため、ガードレールやその付属品等剪定対象物の近傍に存在する物を痛めることなく、またそれらの物に線材をからませることなく剪定対象物を切断できる。また、回転軸体を、その軸線が剪定面と平行になるように回転させることで、複数の可撓性線材の自由端の集まりで形成されるカッターの切断刃面が剪定面及び軸線と平行になる。そして、軸線を剪定面に沿って移動させることにより切断刃面を剪定面上で移動させ、剪定対象である路側植物を連続的に切断できる。そのため、一つの剪定対象の剪定作業が終了した後、カッターを道路に沿って移動させるだけで次の剪定対象の剪定作業を直ちに開始することが可能となり、剪定が連続的で迅速な作業となるので、固定規制が不要となり移動規制による路側樹木の剪定管理が可能となる。
【００１８】
また、自由端を所定の周速度で移動させることにより、切断に必要十分な運動エネルギーを持った自由端で、剪定対象物を広範囲にわたって叩くことができる。なお、周速度が大きいと自由端が持つ運動エネルギーは大きくなるが、その軌道は一定の円となり剪定対象物の特定部分（円軌道と特定対象物の交差部分）のみを叩くことになる。これに対し、周速度が小さいと自由端の軌道は鉛直方向にぶれることで環状となり剪定対象物を広範囲にわたって叩くことになるが、その運動エネルギーは小さくなり、剪定対象物を叩いても切断できなくなってしまうおそれがある。従って、自由端を適切な周速度で移動させることが好ましい。
【００１９】
本発明にかかるカッターによれば、複数の可撓性線材の自由端の集まりが切断刃面を形成し、この切断刃面を剪定面に接触させることにより剪定対象物を切断することができる。そして、可撓性線材の自由端は、ガードレールやその付属品等剪定対象物の近傍に存在する物に触れても、それらの物を痛めることなく、またからみつくおそれもないので、路側植物の剪定、特に本発明にかかる剪定方法に好適に使用できる。
【００２０】
本発明にかかる剪定装置によれば、カッターとその駆動手段を適当な移動手段に載せ換えることができる。そのため、移動手段として例えば、通常のトラック等を使用することが可能となり、移動手段や切断手段が全て一体となっていた従来の剪定装置と比べ装置そのものや維持管理等に要する費用を低減することが可能となる。
【００２１】
また、本発明において、複数の可撓性線材を回転軸体の周方向に沿って放射状に突き出るものとすれば、回転軸体が１回転する間に剪定対象物を叩く回数が増え、剪定をより早く行うことができる。また、中心角を保って突き出る構造とすることにより、回転軸体をバランス良く回転させることができる。
【００２２】
更に、本発明において、複数の可撓性線材の回転軸体から突き出る長さを同じとすれば、剪定面を平坦に仕上げることができる。なお、可撓性線材が回転軸体から突き出る長さは厳密に完全に同じとならなくともよい。仕上がった剪定面の見栄えが良ければ、例えば数パーセントの範囲で長さが異なるものとしてもよい。
【発明を実施するための最良の形態】
【００２３】
図１及び図２に本発明にかかる剪定装置の具体例を示す。図１は同剪定装置の概観を示し、（ａ）は側面図、（ｂ）は背面図、（ｃ）は平面図である。図２は同剪定装置に使用されるカッターの概観を示す斜面図である。
【００２４】
剪定装置１はカッター４を有しており、そのカッター４は、回転軸体２と、回転軸体２の軸線Ｘ上で間隔を保ってかつ半径方向へ突き出ている複数の可撓性線材３を備える。
【００２５】
このカッター４によれば、複数の可撓性線材３の自由端３ａの集まりが切断刃面１１を形成し、この切断刃面１１を剪定面５に接触させることにより剪定対象物６を切断することができる。そして、可撓性線材３の自由端３ａは、ガードレール１２やその付属品等剪定対象物６の近傍に存在する物に触れても、それらの物を痛めることなく、またからみつくおそれもないので、路側植物の剪定、特に本発明にかかる剪定方法に好適に使用できる。
【００２６】
カッター４の周方向半分はカバー２１で覆われており、カバー２１の上部にカッター４の駆動手段２５が設置されている。また、カバー２１はその背面に接続されたアーム２２を介しトラック（移動手段）７の荷台２３に取り付けられており、荷台２３のアーム２２が取り付けられる位置にはレール２４が敷設されている。そして、このレール２４上をアーム２２が移動することにより、カッター４が剪定対象物６に対し進退自在に移動できるようになっているとともに、レール２４に対するアーム２２の着脱操作により、カッター４と駆動手段２５を、移動手段であるトラック７に自在に着脱できるようになっている。なお、駆動手段２５は、荷台２３に載置された電源装置２６により駆動するようになっている。
【００２７】
この剪定装置１によれば、カッター４とその駆動手段２５を適当な移動手段に載せ換えることができる。そのため、移動手段として、通常のトラック等を使用することが可能となり、移動手段や切断手段が全て一体となっていた従来の剪定装置と比べ装置そのものや維持管理等に要する費用を低減することが可能となる。
【００２８】
複数の可撓性線材３は、回転軸体２の周方向に沿って中心角を保って放射状に突き出たものとなっている。
こうすると、回転軸体２が１回転する間に剪定対象物６を叩く回数が増え、剪定をより早く行うことができる。また、中心角を保って突き出る構造とすることにより、回転軸体２をバランス良く回転させることができる。
【００２９】
図２に示すように、可撓性線材３は、周方向に等間隔で８カ所から突き出ているが、図１においては、その構造を明確にするため、その一部のみが示されている。なお、可撓性線材３を突き出させる箇所に制限はないが、後述のように、試験により２カ所、４カ所、８カ所の中では８カ所が好ましいことが確認されている。
【００３０】
複数の可撓性線材３は、回転軸体２から半径方向へ同じ長さ突き出ている。
こうすると、切断刃面１１が平坦となり、剪定面５を平坦に仕上げることができる。なお、可撓性線材３が回転軸体２から突き出る長さは、後述のように、５０ｃｍが好ましいことが確認されている。
【００３１】
次に、剪定装置１を使用する場合を例に、図１を参照しながら、本発明にかかる剪定方法の具体例を説明する。
この剪定装置１を使用して剪定対象物６を剪定するには、カッター４を使用し、剪定面５と軸線Ｘを平行にして回転軸体２を回転させ、剪定面５から突出した剪定対象物６を可撓性線材３の自由端３ａで叩きその衝撃力で剪定対象物６を切断する。
【００３２】
この剪定方法によれば、剪定対象物６の切断に可撓性線材３の自由端３ａを利用しているため、ガードレール１２やその付属品等剪定対象物６の近傍に存在する物を痛めることなく、またそれらの物に線材３をからませることなく剪定対象物６を切断できる。また、回転軸体２を、その軸線Ｘが剪定面５と平行になるように回転させることで、複数の可撓性線材３の自由端３ａの集まりで形成されるカッターの切断刃面が剪定面５及び軸線Ｘと平行になる。そして、軸線Ｘを剪定面５に沿って移動させることにより切断刃面を剪定面５上で移動させ、剪定対象物６である路側植物を連続的に切断できる。そのため、一つの剪定対象物６の剪定作業が終了した後、カッター４を道路に沿って移動させるだけで次の剪定対象物６の剪定作業を直ちに開始することが可能となり、剪定が連続的で迅速な作業となるので、固定規制が不要となり移動規制による路側樹木の剪定管理が可能となる。
【００３３】
回転軸体２は、自由端３ａを所定の周速度で移動させるように回転させる。
こうすると、切断に必要十分な運動エネルギーを持った自由端３ａで、剪定対象物６を広範囲にわたって叩くことができる。
なお、剪定を良好に行うための自由端３ａの移動速度（周速度）は、３１．４（ｍ／ｓｅｃ）が好ましいことが試験（試験１）により確認されている。また、空転時に回転軸体２への巻きつきを防止するための長さの上限が、５０ｃｍであることも試験１により確認されている。従って、剪定を良好に行うためには、可撓性線材３の長さを５０ｃｍとし、回転軸体２の回転数を６００ｒｐｍとすることが好ましい。表１に、試験２の結果を示す。
【表１】
2005218358.tif 000003
評価項目のうち、可撓性線材の振幅とは、軸線Ｘ方向に沿った自由端３ａの振れ幅である。
この試験により、可撓性線材３の好ましい断面形状は円であることも確認されている。
【００３４】
また、上記試験の他、可撓性線材３の材質についても試験（試験２）を行い、ナイロンロープ、ビニール被覆電線及びビニールブラシの中では、ナイロンロープが最も好ましいことが確認されている。
【００３５】
更にまた、可撓性線材３の回転軸体２に対する配置構造や回転軸体２の回転方向につい試験（試験３）を行い、以下の事項が確認されている。
１）カッター４の回転方向は、その移動方向に対し時計回り（図３の矢印Ｂで示す方向）と反時計回り（図３の矢印Ａで示す方向）では、反時計回りとすることが好ましい。
２）回転軸体２の周方向に等間隔で可撓性線材３を突き出させる箇所は、２カ所、４カ所、８カ所の中では８カ所とすることが好ましい。
３）軸線Ｘに沿って可撓性線材３を配置する間隔は、５ｃｍ、１０ｃｍ、１５ｃｍでは５ｃｍとすることが好ましい。
４）可撓性線材３は軸線Ｘと平行に配置すること、すなわち軸線Ｘ上のどの位置においても、回転軸体２の周方向に沿った特定の位置から可撓性線材３を突き出させ、可撓性線材３を櫛の歯状に配列することが好ましい。図４に示すように、軸線Ｘに沿って隣接する位置関係となる可撓性線材３’どうしが回転軸体２の周方向に所定角度ずれる配置構造、すなわち互い違いになる配置とするよりは、平行配置としたほうが良好に剪定されることが確認されている。なお、図４の可撓性線材３は、周方向に等間隔で４カ所から突き出たものとなっている。
【図面の簡単な説明】
【００３６】
【図１】本発明にかかる剪定装置の具体例の概観を示し、（ａ）は側面図、（ｂ）は背面図、（ｃ）は平面図である。
【図２】同剪定装置に使用される、本発明にかかるカッターの具体例の概観を示す斜面図である。
【図３】同カッターの回転方向を示す概略平面図である。
【図４】可撓性線材が互い違いに配置されたカッターの概観を示す斜面図である。
【符号の説明】
【００３７】
１    剪定装置
２    回転軸体
３    可撓性線材
３ａ  自由端
４    カッター
５    剪定面
６    剪定対象物
７    移動手段
２５  駆動手段
【図１】
2005218358.tif 000004
【図２】
2005218358.tif 000005
【図３】
2005218358.tif 000006
【図４】
2005218358.tif 000007